(57)【要約】【課題】対象部位をより確実に挟持することが可能なピンセットを提供する。【解決手段】互いに対向して長手方向における一端側が繋がり、他端側に向かって間隔が広くなる一対の腕部を有し、各々の前記腕部は、前記他端側の先端部に設けられ、当該腕部を弾性変形させて互いに近づけることにより対象部位を挟持可能な挟持部と、前記挟持部よりも一端側に設けられ、互いに係合して長手方向と交差する前記腕部の幅方向への前記挟持部同士の相対移動を規制する係合部と、を有しており、互いに当接した前記挟持部と、互いに係合した前記係合部と、の間に空隙が形成される。【選択図】図２
2020054705.tif 000002
【特許請求の範囲】
【請求項１】
互いに対向して長手方向における一端側が繋がり、他端側に向かって間隔が広くなる一対の腕部を有し、
各々の前記腕部は、
前記他端側の先端部に設けられ、当該腕部を弾性変形させて互いに近づけることにより対象部位を挟持可能な挟持部と、
前記挟持部よりも一端側に設けられ、互いに係合して長手方向と交差する前記腕部の幅方向への前記挟持部同士の相対移動を規制する係合部と、
を有しており、
互いに当接した前記挟持部と、互いに係合した前記係合部と、の間に空隙が形成されることを特徴とするピンセット。
【請求項２】
請求項１に記載のピンセットであって、
前記腕部の長手方向における前記空隙の長さは、前記挟持部の長さよりも長いことを特徴とするピンセット。
【請求項３】
請求項１または請求項２に記載のピンセットであって、
前記一対の腕部のうちの一方の前記腕部の前記係合部は、前記一対の腕部のうちの他方の前記腕部と対向する部位に長手方向に沿って設けられ、前記他方の前記腕部側に向かって突出する突出片であり、
前記他方の前記腕部の前記係合部は、前記一方の前記腕部と対向する部位に長手方向に沿って設けられ、前記一方の前記腕部側に向かって突出し、前記幅方向に間隔を空けて対面し、その間に前記突出片が挿入される２つの壁部であることを特徴とするピンセット。
【請求項４】
請求項１乃至請求項３のいずれかに記載のピンセットであって、
各々の前記係合部における前記一端側の部位は、前記腕部を互いに近づける方向に外力が作用していない状態であっても係合していることを特徴とするピンセット。
【請求項５】
請求項３または請求項４に記載のピンセットであって、
前記挟持部が互いに当接した状態で、
前記突出片の前記他方の腕部と対向する部位と、前記突出片の前記２つの壁部と対向する部位とがなす角度、及び
前記２つの壁部の前記一方の腕部と対向する部位と、前記２つの壁部の前記突出片と各々対向する部位とがなす角度、は直角であることを特徴とするピンセット。
【発明の詳細な説明】
【技術分野】
【０００１】
本発明は、ピンセットに関する。
【背景技術】
【０００２】
従来から互いに対向して長手方向における一端側が繋がり、他端側に向かって間隔が広くなる一対の腕部を有するピンセットは知られている（たとえば、特許文献１参照）。従来例のピンセットは、先端部に細い挟持部を設けた一対のピンセット部分（腕部）の基端部が互いに結合されており、ピンセット部分を互いに近づく方向に揺動することで、挟持部で目的物を挟持可能に構成されている。
【先行技術文献】
【特許文献】
【０００３】
【特許文献１】特開平９−７５３６１号公報
【発明の概要】
【発明が解決しようとする課題】
【０００４】
ピンセットは、先が細く形成された先端部にて対象部位を挟持するため、一対の腕部を互いに近づけたときに、互いの先端部同士がより正確に重なり合うことが望ましい。しかしながら、特に、対象部位の外周面が曲面をなしている場合などには、狭持する際に腕部に捻れやずれが生じ、先端部同士が正確に重ならない虞がある。また、一対の腕部において、対象部位を挟持する先端部同士が互いに対面した状態で当接しているときに、先端部から繋がっている部位も互いに対面して当接していると、対象部位以外の部位も挟持してしまう虞があるという課題がある。
本発明は、かかる課題に鑑みてなされたものであり、その目的とするところは、対象部位をより確実に挟持することが可能なピンセットを提供することにある。
【課題を解決するための手段】
【０００５】
かかる目的を達成するために本発明のピンセットは、互いに対向して長手方向における一端側が繋がり、他端側に向かって間隔が広くなる一対の腕部を有し、
各々の前記腕部は、
前記他端側の先端部に設けられ、当該腕部を弾性変形させて互いに近づけることにより対象部位を挟持可能な挟持部と、
前記挟持部よりも一端側に設けられ、互いに係合して長手方向と交差する前記腕部の幅方向への前記挟持部同士の相対移動を規制する係合部と、
を有しており、
互いに当接した前記挟持部と、互いに係合した前記係合部と、の間に空隙が形成されることを特徴とするピンセットである。
【０００６】
このようなピンセットによれば、長手方向における一端側が繋がり、挟持部を有して他端側に向かって間隔が広くなる一対の腕部が、挟持部よりも一端側に、互いに係合して挟持部同士の相対移動を規制する係合部を有している。このため、対象部位を挟持すべく挟持部を互いに近づけると、挟持部同士が当接する前に係合部により挟持部同士の幅方向への相対移動が規制されるので、対象部位を挟持する際には、挟持部をより確実に対面させることが可能である。また、挟持部が互いに対面して当接した状態であっても、一対の腕部が互いに係合する係合部との間に空隙が形成されているので、挟持部以外の部位により対象部位以外の部位が誤って挟持されることが生じ難い。このため、対象部位をより確実に挟持することが可能なピンセットを提供することが可能である。
【０００７】
かかるピンセットであって、
前記腕部の長手方向における前記空隙の長さは、前記挟持部の長さよりも長いことを特徴とする。
このようなピンセットによれば、空隙の長さが挟持部の長さよりも長いので、挟持部にて挟持する対象部位以外の部位が、誤って挟持され難いピンセットを提供することが可能である。
【０００８】
かかるピンセットであって、
前記一対の腕部のうちの一方の前記腕部の前記係合部は、前記一対の腕部のうちの他方の前記腕部と対向する部位に長手方向に沿って設けられ、前記他方の前記腕部側に向かって突出する突出片であり、
前記他方の前記腕部の前記係合部は、前記一方の前記腕部と対向する部位に長手方向に沿って設けられ、前記一方の前記腕部側に向かって突出し、前記幅方向に間隔を空けて対面し、その間に前記突出片が挿入される２つの壁部であることを特徴とする。
【０００９】
このようなピンセットによれば、一方の腕部が有する突出片の突出方向における先端が、他方の腕部が有する２つの壁部の突出方向における先端の間に進入し始めたときから、挟持部の幅方向への相対移動が規制される。また、突出片及び２つの壁部は、いずれも腕部の長手方向に沿って設けられているので、腕部同士を近づける際には、腕部の一端側において突出片と２つの壁部とがより早い時点から係合する。このため、より早い時点から挟持部を互いが対向する位置に移動させることができるので、より確実に対象部位を挟持することが可能である。
【００１０】
かかるピンセットであって、
各々の前記係合部における前記一端側の部位は、前記腕部を互いに近づける方向に外力が作用していない状態であっても係合していることを特徴とする。
このようなピンセットによれば、突出片が全長に亘って２つの壁部の間から脱けることがない。このため、腕部同士を近づける際には、必ず幅方向への相対移動が規制されるので、挟持部同士をより確実に対向させて、対象部位をより確実に挟持することが可能である。
【００１１】
かかるピンセットであって、
前記挟持部が互いに当接した状態で、
前記突出片の前記他方の腕部と対向する部位と、前記突出片の前記２つの壁部と対向する部位とがなす角度、及び
前記２つの壁部の前記一方の腕部と対向する部位と、前記２つの壁部の前記突出片と各々対向する部位とがなす角度、は直角であることを特徴とする。
このようなピンセットによれば、一対の腕部が互いに近づく場合には、突出片及び２つの壁部の突出方向における先端に傾斜や曲面が設けられている場合よりも早い時点から、一対の腕部の相対移動をより確実に規制することが可能である。
【発明の効果】
【００１２】
本発明によれば、対象部位をより確実に挟持することが可能なピンセットを提供することが可能である。
【図面の簡単な説明】
【００１３】
【図１】本発明のピンセットを示す側面図である。
【図２】ピンセットの挟持部同士を当接させた状態を示す側面図である。
【図３】ピンセットを反対向部側から見た図である。
【図４】一方の腕部を他方の腕部側から見た図である。
【図５】他方の腕部を一方の腕部側から見た図である。
【図６】図２におけるＢ−Ｂ断面図である。
【図７】図１におけるＡ−Ａ断面図である。
【図８】図２におけるＣ部の拡大図である。
【発明を実施するための形態】
【００１４】
以下、本発明の一実施形態に係るピンセットについて図面を参照して説明する。
本実施形態のピンセットは、例えば医療用に用いられるステンレス製のピンセットである。図１〜図３に示すように、ピンセット１は、細長く先が尖った２枚の板状部材２、３が、互いに対面するように配置され、長手方向における一端側で繋がっている。一端側で繋がった２枚の板状部材２、３は、他端側に向かって間隔が広くなるように、繋がっている部位近傍にて僅かに屈曲している。
【００１５】
ピンセット１は、図１に示すような先端が開いた状態から先端の間隔が狭くなるように、２枚の板状部材２、３を互いに近づく方向に押圧することにより２枚の板状部材２、３が弾性変形し、図２に示すように、ほぼ平行をなして対面する状態で互いの先端同士が当接するように構成されている。
【００１６】
以下の説明においては、長手方向において繋がっている一端側を基端側、反対側の他端側を先端側として説明する。また、先端側の部位同士が近接或いは離間する方向を上下方向とし、長手方向および上下方向と直交する方向となる板状部材２、３の幅方向を、単に幅方向と称して説明する。また、ピンセット１に外力が作用せず、先端が離れている状態を開いている状態、先端同士が当接している状態を閉じている状態と称す。
【００１７】
対向する２枚の板状部材２、３は、上方及び下方から見たときの外周形状は同一である。２枚の板状部材２、３は、例えば、長手方向において基端側における、板状部材２、３の全長の約１／５〜１／６の長さでなる基端部２ａ、３ａが、互いに対向する側に僅かに突出する基端突出部２ｂ、３ｂを有しており、基端突出部２ｂ、３ｂ同士が接合されている。２枚の板状部材２、３の基端突出部２ｂ、３ｂを有する基端部２ａ、３ａを除く腕部２０、３０は、図３に示すように、先端側のほぼ半分の部位が、先端に向かって幅が漸次細くなり先端に向かって尖っている。
【００１８】
また、図１、図２に示すように、各腕部２０、３０は、長手方向においてほぼ３等分した中央部に相当する腕中央部２０ａ、３０ａの厚みが、長手方向において両側に位置する腕先端側部２０ｂ、３０ｂ及び腕基端側部２０ｃ、３０ｃよりも厚く形成されている。腕先端側部２０ｂ、３０ｂは、腕中央部２０ａ、３０ａから先端に向かって漸次厚みが薄くなるように形成されている。腕基端側部２０ｃ、３０ｃは、腕中央部２０ａ、３０ａ側の部位が基端側に向かって厚みが漸次薄くなり、基端側の部位は、腕中央部２０ａ、３０ａよりも薄く、基端突出部２ｂ、３ｂを除く基端部２ａ、３ａと繋がっている。
【００１９】
各腕部２０、３０の先端には、互いに対向する側に突出し、腕部２０、３０を近接させたときに対面して当接可能であり、対象部位を挟持可能な挟持部２１、３１が設けられている。挟持部２１、３１の対向する側への突出量は、基端突出部２ｂ、３ｂの突出量と同じである。挟持部２１、３１の長さＬ１は、例えば、板状部材２、３の全長に対する１／１５〜１／２０の長さである。
【００２０】
２枚の板状部材２、３の一方の腕部２０には、図１、図４に示すように、対向する他方の腕部３０に向かって突出する係合部としての突出片２２が設けられており、２枚の板状部材２、３の他方の腕部３０には、図１、図５に示すように、対向する一方の腕部２０に向かって突出し、幅方向に間隔を空けて配置された係合部としての２つの壁部３２が設けられている。突出片２２は、幅方向における中央に長手方向に沿って設けられており、２つの壁部３２は、幅方向における中央から振り分けた位置に長手方向に沿って平行に設けられている。２つの壁部３２の間隔は、突出片２２の幅方向における厚みより僅かに広く形成されている。
【００２１】
図６に示すように、ピンセット１が閉じている状態では、突出片２２が２つの壁部３２の間に挿入される。突出片２２は、ピンセット１を閉じた状態で他方の腕部３０と対向する部位２２ａと、突出片２２の２つの壁部３２と対向する部位２２ｂとが直角をなすように形成されており、２つの壁部３２は、ピンセット１を閉じた状態で一方の腕部２０と対向する部位３２ａと、２つの壁部３２の突出片２２と各々対向する部位３２ｂとが直角をなすように形成されている。
【００２２】
図４、図５に示すように、突出片２２及び２つの壁部３２は、挟持部２１、３１と長手方向において間隔を空けて設けられており、基端部２ａ、３ａ近傍まで繋がって設けられている。突出片２２及び２つの壁部３２の突出量は、挟持部２１、３１及び基端突出部２ｂ、３ｂの突出量と同じ、或いは、挟持部２１、３１及び基端突出部２ｂ、３ｂの突出量よりも僅かに小さく形成されている。
【００２３】
また、２つの腕部２０、３０の腕基端側部２０ｃ、３０ｃは、図７に示すように、一方の腕部２０の幅方向における突出片２２の両側と、他方の腕部３０の幅方向において２つの壁部３２を挟んで両側とに、それぞれ肉抜きが施されて凹部２０ｄ、３０ｄが設けられ、腕基端側部２０ｃ、３０ｃが薄肉化されている。凹部２０ｄ、３０ｄにより、軽量化が図られると共に、腕部２０、３０に外力が作用する際、すなわち、ピンセット１にて対象物を挟持する際に腕部２０、３０が弾性変形し易くなっている。
【００２４】
また、２つの腕部２０、３０において、対向している面とは反対側には、図１〜図３に示すように、腕部２０、３０の長さ方向における中央よりも先端側に位置させて滑り止め２０ｅ、３０ｅが設けられている。滑り止め２０ｅ、３０ｅは、幅方向に対して僅かに傾斜した角度で形成された複数の溝部である。
【００２５】
２枚の板状部材２、３が基端部２ａ、３ａにて接合されたピンセット１は、図１、図７に示すように、開いた状態であっても一方の腕部２０に設けられている突出片２２の基端側の部位が、他方の腕部３０に設けられた２つの壁部３２の基端側の部位の間に挿入されている。このため、突出片２２が２つの壁部３２の間に常に挿入されており、対向する２つの腕部３０の幅方向における相対移動は常に規制されている。このため、腕部２０、３０の先端に設けられている挟持部２１、３１の幅方向における相対移動も規制されている。
【００２６】
また、ピンセット１は、閉じられた状態で、図２に示すように、２つの腕部２０、３０に設けられている挟持部２１、３１同士が対面して当接すると、突出片２２が全長に亘って２つの壁部３２の間に挿入され、２つの腕部２０、３０の対向する面がほぼ平行をなしている。このとき、図８に示すように、当接している挟持部２１、３１同士と、突出片２２が２つの壁部３２の間に挿入されている突出片２２及び２つの壁部３２と、の間に空隙５が形成されている。このとき、腕部２０、３０の長手方向において挟持部２１、３１と突出片２２及び２つの壁部３２との間の空隙５の長さＬ２は、挟持部２１、３１の長さＬ１より長く、例えば、挟持部２１、３１の長さＬ１の２倍から３倍の間隔を有している。
【００２７】
本実施形態のピンセット１は、長手方向における基端部２ａ、３ａが繋がり、挟持部２１、３１を有する先端側に向かって間隔が広くなる一対の腕部２０、３０が、挟持部２１、３１よりも基端側に、互いに係合して挟持部２１、３１同士の相対移動を規制する突出片２２及び２つの壁部３２を有している。このため、対象部位を挟持すべく挟持部２１、３１を互いに近づけると、挟持部２１、３１同士が当接する前に突出片２２及び２つの壁部３２により挟持部２１、３１同士の幅方向への相対移動が規制されるので、対象部位を挟持する際には、挟持部２１、３１をより確実に対面させることが可能である。
【００２８】
また、挟持部２１、３１が互いに対面して当接した状態であっても、当接している挟持部２１、３１同士と、突出片２２が２つの壁部３２の間に挿入されている突出片２２及び２つの壁部３２と、の間に空隙５が形成されているので、挟持部２１、３１以外の部位により対象部位以外の部位が誤って挟持されることは生じ難い。このため、対象部位をより確実に挟持することが可能なピンセット１を提供することが可能である。このとき、空隙５の長さＬ２が挟持部２１、３１の長さＬ１よりも長いので、挟持部２１、３１にて挟持する対象部位以外の部位を、誤って挟持することをより確実に防止することが可能である。
【００２９】
また、ピンセット１は、腕部２０、３０を互いに近づける方向に外力が作用していない状態であっても突出片２２が２つの壁部３２の間に挿入されているので、突出片２２が全長に亘って２つの壁部３２の間から脱けることはない。このため、腕部２０、３０同士を近づける際には、必ず幅方向への相対移動が規制されるので、挟持部２１、３１同士をより確実に対向させて、対象部位をより確実に挟持することが可能である。また、このとき、対象部位を挟持すべく挟持部２１、３１を互いに近づける際に、挟持部２１、３１が幅方向に振れ難いので、挟持部２１、３１が誤って対象部位以外の部位と接触することを防止することが可能である。
【００３０】
また、挟持部２１、３１が互いに当接した状態で、突出片２２の他方の腕部３０と対向する部位２２ａと、突出片２２の２つの壁部３２と対向する部位２２ｂとが直角をなし、２つの壁部３２の一方の腕部２０と対向する部位３２ａと、２つの壁部３２の突出片２２と各々対向する部位３２ｂとがなす角度とが直角をなしているので、一対の腕部が互いに近づく場合には、突出片２２及び２つの壁部３２の突出方向における先端に傾斜や曲面が設けられている場合よりも早い時点から、一対の腕部２０、３０の相対移動をより確実に規制することが可能である。
【００３１】
従来のピンセットのなかには、例えば、ピンセットの一方の腕部において、長手方向に間隔を隔てた２箇所に、他方の腕部側に向かって突出させたピンを設け、他方の腕部に、前記ピンが各々嵌合されるピン受溝を設けたものがある。このような従来のピンセットは、対象部位を挟持すべく一対の腕部を互いに近づけた際に、ピンがピン受溝に嵌合されることにより、ピンセットの先端となる挟持部同士の幅方向への相対移動を規制しているが、一方の腕部２０に突出片２２を設け、他方の腕部３０に突出片２２が挿入される２つの壁部３２を設けた上記実施形態のピンセットの方が、より高い精度にて挟持部２１、３１同士をより確実に重ね合わせることが可能である。
【００３２】
上記実施形態においては、突出片２２が２つの壁部３２間に常に挿入されている例について説明したが、これに限るものではない。例えば、ピンセット１が開いている状態で、一方の腕部２０の突出片２２が、他方の腕部３０の２つの壁部３２間から抜け出ている形態であっても構わない。この場合には、一方の腕部２０が有する突出片２２の突出方向における先端が、他方の腕部３０が有する２つの壁部３２の突出方向における先端の間に進入し始めたときから、挟持部２１、３１の幅方向への相対移動が規制される。
【００３３】
突出片２２及び２つの壁部３２は、いずれも腕部２０、３０の長手方向に沿って設けられているので、腕部２０、３０同士を近づける際には、腕部２０、３０の基端側において突出片２２と２つの壁部３２とがより早い時点から係合する。このため、腕部２０、３０を互いに近づけ始めたより早い時点から挟持部２１、３１を互いが対向する位置に移動させることができるので、ピンセット１が開いている状態で突出片２２が２つの壁部３２間から抜け出ている形態であっても、より確実に対象部位を挟持することが可能である。
【００３４】
上記実施形態においては、２枚の板状部材２、３が長手方向における一端側で接合されて繋がっている例について説明したが、これに限らず、例えば、１枚の板材が対向するように折り曲げられて形成されていても構わない。
【００３５】
上記実施形態において示した、挟持部２１、３１、基端突出部２ｂ、３ｂ、腕中央部２０ａ、３０ａ、腕先端側部２０ｂ、３０ｂ、腕基端側部２０ｃ、３０ｃ、及び、空隙５の長さ等は、一例であって、これに限るものではない。
【００３６】
また、上記実施形態においては、医療用に用いられるステンレス製のピンセット１を例に挙げて説明したが、これに限らず、互いに対向して長手方向における一端側が繋がり、他端側に向かって間隔が広くなる一対の腕部を有する、所謂ピンセットであれば構わない。
【００３７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３８】
１  ピンセット、２  板状部材、２ａ  基端部、２ｂ  基端突出部、
３  板状部材、３ａ  基端部、３ｂ  基端突出部、５  空隙、
２０  腕部、２０ａ  腕中央部、２０ｂ  腕先端側部、２０ｃ  腕基端側部、
２０ｄ  凹部、２１  挟持部、２２  突出片、２２ａ  他方の腕部と対向する部位、
２２ｂ  ２つの壁部と対向する部位、３０  腕部、３０ａ  腕中央部、
３０ｂ  腕先端側部、３０ｃ  腕基端側部、３０ｄ  凹部、３１  挟持部、
３２  壁部、３２ａ  一方の腕部と対向する部位、３２ｂ  突出片と対向する部位
【図１】
2020054705.tif 000003
【図２】
2020054705.tif 000004
【図３】
2020054705.tif 000005
【図４】
2020054705.tif 000006
【図５】
2020054705.tif 000007
【図６】
2020054705.tif 000008
【図７】
2020054705.tif 000009
【図８】
2020054705.tif 000010
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
互いに対向して長手方向における一端側が繋がり、他端側に向かって間隔が広くなる一対の腕部を有し、
各々の前記腕部は、
前記他端側の先端部に設けられ、当該腕部を弾性変形させて互いに近づけることにより対象部位を挟持可能な挟持部と、
前記挟持部よりも一端側に設けられ、互いに係合して長手方向と交差する前記腕部の幅方向への前記挟持部同士の相対移動を規制する係合部と、
を有しており、
互いに当接した前記挟持部と、互いに係合した前記係合部と、の間に空隙が形成されることを特徴とするステンレス製ピンセット。
【請求項２】
請求項１に記載のステンレス製ピンセットであって、
前記腕部の長手方向における前記空隙の長さは、前記挟持部の長さよりも長いことを特徴とするステンレス製ピンセット。
【請求項３】
請求項１または請求項２に記載のステンレス製ピンセットであって、
前記一対の腕部のうちの一方の前記腕部の前記係合部は、前記一対の腕部のうちの他方の前記腕部と対向する部位に長手方向に沿って設けられ、前記他方の前記腕部側に向かって突出する突出片であり、
前記他方の前記腕部の前記係合部は、前記一方の前記腕部と対向する部位に長手方向に沿って設けられ、前記一方の前記腕部側に向かって突出し、前記幅方向に間隔を空けて対面し、その間に前記突出片が挿入される２つの壁部であることを特徴とするステンレス製ピンセット。
【請求項４】
請求項１乃至請求項３のいずれかに記載のステンレス製ピンセットであって、
各々の前記係合部における前記一端側の部位は、前記腕部を互いに近づける方向に外力が作用していない状態であっても係合していることを特徴とするステンレス製ピンセット。
【請求項５】
請求項３または請求項４に記載のステンレス製ピンセットであって、
前記挟持部が互いに当接した状態で、
前記突出片の前記他方の腕部と対向する部位と、前記突出片の前記２つの壁部と対向する部位とがなす角度、及び
前記２つの壁部の前記一方の腕部と対向する部位と、前記２つの壁部の前記突出片と各々対向する部位とがなす角度、は直角であることを特徴とするステンレス製ピンセット。
【手続補正３】
【補正対象書類名】明細書
【補正対象項目名】０００１
【補正方法】変更
【補正の内容】
【０００１】
本発明は、ステンレス製ピンセットに関する。
【手続補正４】
【補正対象書類名】明細書
【補正対象項目名】０００５
【補正方法】変更
【補正の内容】
【０００５】
かかる目的を達成するために本発明のステンレス製ピンセットは、互いに対向して長手方向における一端側が繋がり、他端側に向かって間隔が広くなる一対の腕部を有し、
各々の前記腕部は、
前記他端側の先端部に設けられ、当該腕部を弾性変形させて互いに近づけることにより対象部位を挟持可能な挟持部と、
前記挟持部よりも一端側に設けられ、互いに係合して長手方向と交差する前記腕部の幅方向への前記挟持部同士の相対移動を規制する係合部と、
を有しており、
互いに当接した前記挟持部と、互いに係合した前記係合部と、の間に空隙が形成されることを特徴とするステンレス製ピンセットである。
【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
互いに対向して長手方向における一端側が繋がり、他端側に向かって間隔が広くなる一対の腕部を有し、
各々の前記腕部は、
前記他端側の先端部に設けられ、当該腕部を弾性変形させて互いに近づけることにより対象部位を挟持可能な挟持部と、
前記挟持部よりも一端側に設けられ、互いに係合して長手方向と交差する前記腕部の幅方向への前記挟持部同士の相対移動を規制する係合部と、
を有しており、
互いに当接した前記挟持部と、互いに係合した前記係合部と、の間に空隙が形成され、
各々の前記係合部における前記一端側の部位は、前記腕部を互いに近づける方向に外力が作用していない状態であっても係合している、
ことを特徴とする医療用ステンレス製ピンセット。
【請求項２】
請求項１に記載の医療用ステンレス製ピンセットであって、
前記腕部の長手方向における前記空隙の長さは、前記挟持部の長さよりも長いことを特徴とする医療用ステンレス製ピンセット。
【請求項３】
請求項１または請求項２に記載の医療用ステンレス製ピンセットであって、
前記一対の腕部のうちの一方の前記腕部の前記係合部は、前記一対の腕部のうちの他方の前記腕部と対向する部位に長手方向に沿って設けられ、前記他方の前記腕部側に向かって突出する突出片であり、
前記他方の前記腕部の前記係合部は、前記一方の前記腕部と対向する部位に長手方向に沿って設けられ、前記一方の前記腕部側に向かって突出し、前記幅方向に間隔を空けて対面し、その間に前記突出片が挿入される２つの壁部であることを特徴とする医療用ステンレス製ピンセット。
【請求項４】
請求項３に記載の医療用ステンレス製ピンセットであって、
前記挟持部が互いに当接した状態で、
前記突出片の前記他方の腕部と対向する部位と、前記突出片の前記２つの壁部と対向する部位とがなす角度、及び
前記２つの壁部の前記一方の腕部と対向する部位と、前記２つの壁部の前記突出片と各々対向する部位とがなす角度、は直角であることを特徴とする医療用ステンレス製ピンセット。
【手続補正３】
【補正対象書類名】明細書
【補正対象項目名】０００１
【補正方法】変更
【補正の内容】
【０００１】
本発明は、医療用ステンレス製ピンセットに関する。
【手続補正４】
【補正対象書類名】明細書
【補正対象項目名】０００５
【補正方法】変更
【補正の内容】
【０００５】
かかる目的を達成するために本発明のステンレス製ピンセットは、互いに対向して長手方向における一端側が繋がり、他端側に向かって間隔が広くなる一対の腕部を有し、
各々の前記腕部は、
前記他端側の先端部に設けられ、当該腕部を弾性変形させて互いに近づけることにより、対向する面同士が互いに接して接触対象部位を挟持可能な挟持部と、
前記挟持部よりも一端側に設けられ、互いに係合して長手方向と交差する前記腕部の幅方向への前記挟持部同士の相対移動を規制する係合部と、
を有しており、
互いに当接した前記挟持部と、互いに係合した前記係合部と、の間に空隙が形成され、
各々の前記係合部における前記一端側の部位は、前記腕部を互いに近づける方向に外力が作用していない状態であっても係合している、
ことを特徴とする医療用ステンレス製ピンセットである。